(57)【要約】【課題】音声報知時の操作部振動を抑えることで使用者に違和感を与えず、かつ十分な音量や音質を確保できること。【解決手段】スピーカー４を熱源を有する調理器本体２の上面の手前側もしくは前面に配され操作を行うための操作部３と離れた位置に配することで音声報知時の操作部振動を抑えるとともに、スピーカー４を調理器本体２の内部に配し、熱源支持部品６や制御カバー７や仕切板８といった比較的平らな形状の部品に取付けることで、部品の共振効果により必要音量や音質の確保を容易にすることができる。【選択図】図４
2013137154.tif 000002
【特許請求の範囲】
【請求項１】
熱源を有する調理器本体と、前記調理器本体の上面に配された被加熱物を載置するためのトッププレート部と、前記調理器本体の上面の手前側または前面に配された操作されるための操作部と、前記熱源の下方に配された熱源支持部品と、前記調理器本体内に配され加熱制御を行うための制御部と、前記制御部の周囲に配された前記制御部を保護するための制御カバーと、音声報知のためのスピーカーと、を備え、前記熱源支持部品または前記制御カバーに前記スピーカーを取付けた加熱調理器。
【請求項２】
前記調理器本体の下方に魚焼き器と、前記魚焼き器の上方に前記熱源と前記魚焼き器を仕切るための仕切板とを備え、前記仕切板に前記スピーカーを取付けた請求項１に記載の加熱調理器。
【請求項３】
前記熱源支持部品、前記制御カバー、または前記仕切板の前記スピーカーの取付け面を凹形状とした請求項１または２に記載の加熱調理器。
【請求項４】
前記熱源支持部品、前記制御カバー、または前記仕切板の前記スピーカー取付け面を凸形状とし、前記凸形状の一部に穴を設けた請求項１または２に記載の加熱調理器。
【請求項５】
前記凸形状の上面もしくは側面の上側に穴を設けた請求項４に記載の加熱調理器。
【請求項６】
前記トッププレート部を構成する少なくとも２部品の境界線に沿って前記凸形状の上面にリブを設け、前記リブを挟んで前記境界線と逆側に穴を設けた請求項５に記載の加熱調理器。
【請求項７】
前記トッププレート部と前記スピーカーの間に前記熱源及び前記操作部の他の構造物を配さない構成とする請求項１〜６のいずれか１項に記載の加熱調理器。
【請求項８】
前記調理器本体の各部を冷却するための送風部を備え、前記送風部の吸気側に前記スピーカーを配した請求項１〜７のいずれか１項に記載の加熱調理器。
【請求項９】
前記スピーカーを取付ける前記熱源支持部品、前記制御カバー、または前記仕切板を樹脂で成形した請求項１〜８のいずれか１項に記載の加熱調理器。
【発明の詳細な説明】
【技術分野】
【０００１】
本発明は、調理器本体内に音声報知用のスピーカーを備えた加熱調理器に関するものである。
【背景技術】
【０００２】
従来の加熱調理器は、調理器本体の前面もしくは上面手前に設けられた操作部にスピーカーを配し、操作部を構成するケース等の部品に向けて音声を放射する構成である。この種の加熱調理器としては、例えば、特許文献１に記載されたものがある。
【０００３】
図１６および図１７は、特許文献１に記載された従来の加熱調理器の操作部の概略構成を示すものである。
【０００４】
図１６に示すように、スピーカー４は、操作基板を保持するための操作部ケース１２の下方に、操作部ケース１２の下面に向けて音声を放射する方向にスピーカー固定部品４ａを用いて取付けられている。
【０００５】
前記のように構成することで、加熱調理器の外郭に近い操作部の共振効果により音質の向上を図っていた。
【先行技術文献】
【特許文献】
【０００６】
【特許文献１】特開２０１０−１８６７２０号公報
【発明の概要】
【発明が解決しようとする課題】
【０００７】
しかしながら、前記従来の構成では、操作部を構成する部品にスピーカーを直接取付けていたため、音声報知時に操作釦や表示部等の操作部の振動が大きくなり、使用者に違和感を与えるという課題を有していた。
【０００８】
また、操作部の電子部品等が音声報知の度に振動するので、操作部の信頼性が低下するという課題を有していた。
【０００９】
本発明は、前記従来の課題を解決するもので、音声報知時の操作部振動を抑えることで使用者に違和感を与えず、かつ十分な音量や音質を確保できる加熱調理器を提供することを目的とする。
【課題を解決するための手段】
【００１０】
前記従来の課題を解決するために、本発明の加熱調理器は、熱源を有する調理器本体と、前記調理器本体の上面に配された被加熱物を載置するためのトッププレート部と、前記調理器本体の上面の手前側または前面に配され加熱調理器の操作を行うための操作部と、前記熱源の下方に配され前記熱源の支えるための熱源支持部品と、前記調理器本体内に配された加熱制御を行うための制御部と、前記制御部の周囲に配され前記制御部を保護するための制御カバーと、音声報知のためのスピーカーと、を備え、前記熱源支持部品または前記制御カバーに前記スピーカーを取付けたものである。
【００１１】
これによって、操作部から離れた位置に配された部品にスピーカーを取付けることで、音声報知時の操作部の振動が抑えられ、使用者に違和感を与えないとともに操作部の信頼性を向上させることができる。
【００１２】
また、熱源支持部品や制御カバーといった比較的平らな形状の部品にスピーカーを取付けることで共振効果が得られ、スピーカーを調理器本体内の音声が外へ伝わりにくい位置に配した場合においても、必要音量を得やすくなる。
【発明の効果】
【００１３】
本発明の加熱調理器は、操作部から離れた位置に配された部品にスピーカーを取付けることで、音声報知時の操作部の振動が抑えられ、使用者に違和感を与えないとともに操作部の信頼性を向上させることができる。
【００１４】
また、熱源支持部品や制御カバーといった比較的平らな形状の部品にスピーカーを取付けることで共振効果が得られ、スピーカーを調理器本体内の音声が外へ伝わりにくい位置に配した場合においても、必要音量を得やすくなる。
【図面の簡単な説明】
【００１５】
【図１】本発明の実施形態１の加熱調理器の全体斜視図
【図２】実施形態１のトッププレート部を取外した状態での平面図
【図３】実施形態１のトッププレート部および熱源を取外した状態での平面図
【図４】実施形態１の右熱源付近の断面図
【図５】実施形態１のスピーカー取付け部の断面図
【図６】実施形態２のトッププレート部および熱源を取外した状態での平面図
【図７】実施形態２の左熱源付近の断面図
【図８】実施形態３のトッププレート部および熱源を取外した状態での平面図
【図９】実施形態３の左熱源付近の断面図
【図１０】実施形態４のスピーカー取付け部の断面図
【図１１】実施形態５のスピーカー取付け部の断面図
【図１２】実施形態６のスピーカー取付け部の斜視図および断面図
【図１３】実施形態７のスピーカー取付け部の斜視図および断面図
【図１４】実施形態８のトッププレート部を取外した状態での平面図
【図１５】実施形態９の右熱源付近の断面図
【図１６】従来の加熱調理器の操作部の概略斜視図
【図１７】従来の加熱調理器の操作部の概略断面図
【発明を実施するための形態】
【００１６】
第１の発明は、熱源を有する調理器本体と、前記調理器本体の上面に配された被加熱物を載置するためのトッププレート部と、前記調理器本体の上面の手前側または前面に配された操作部と、前記熱源の下方に配され前記熱源を支えるための熱源支持部品と、前記調理器本体内に配された加熱制御を行うための制御部と、前記制御部の上方に配された前記制御部を保護するための制御カバーと、音声報知のためのスピーカーと、を備えた構成で、前記熱源支持部品または前記制御カバーにスピーカーを取付けたものである。
【００１７】
操作部から離れた位置に配された部品にスピーカーを取付けることで、音声報知時の操作部の振動が抑えられ、使用者に違和感を与えないとともに操作部の信頼性を向上させることができる。
【００１８】
また、熱源支持部品や制御カバーは一般的に平らな形状の部品であるため、共振効果によりスピーカーを調理器本体内の音声が外へ伝わりにくい位置に配しても、必要音量を得やすくなる。
【００１９】
第２の発明は、特に、第１の発明において、前記加熱調理器に加えトッププレート部下方に配された魚焼き器と、前記熱源と前記魚焼き器の間を仕切るための仕切板とを備えた構成で、前記仕切板に前記スピーカーを取付けたものである。
【００２０】
操作部から離れた位置に配された部品にスピーカーを取付けることで、音声報知時の操作部の振動が抑えられ、使用者に違和感を与えないとともに操作部の信頼性を向上させることができる。
【００２１】
また、仕切板は一般的に平らな形状の部品であるため、共振効果によりスピーカーを調理器本体内の音声が外へ伝わりにくい位置に配しても、必要音量を得やすくなる。
【００２２】
第３の発明は、特に、第１または第２の発明に加えてスピーカーを取付ける部品である、熱源支持部品、制御カバーまたは仕切板の取付け面を凹形状としたものである。これにより、スピーカー後方からでた反対位相の音のスピーカー前方への周り込みを防げることで音の打ち消しが無くなり、必要音量を得やすくなる。
【００２３】
第４の発明は、特に、第１または第２の発明に加えてスピーカーを取付ける部品の取付け面を凸形状とし、前記凸形状を形成する面の一部に穴を設けたものである。これにより、凸形状内側の半密閉された空気の共振効果により必要音量を得やすくなる。また、凸形状の一部に穴を設けることで音のこもりが解消され音質が向上する。
【００２４】
第５の発明は、特に、第４の発明において前記凸形状の上面もしくは側面の上側に穴を配したものである。これにより、外周からの浸水に対して凸部の側面が堤防の形となるため、スピーカーの防水性が向上する。
【００２５】
第６の発明は、特に、第５の発明において凸形状の上方にトッププレート部を構成する少なくとも２部品の境界線が位置する構成の加熱調理器において、前記凸形状の上面に前記境界線に沿ったリブを立て、前記リブを挟んで前記境界線と反対側に穴を設けたものである。これによりトッププレート部からの浸水に対してリブが堤防の形となるため、スピーカーの防水性が向上する。
【００２６】
第７の発明は、特に、第１〜６のいずれか１つの発明において前記トッププレート部と前記スピーカーとの間に熱源及び操作部の他の構造物を配さない構成としたものである。これにより、使用者とスピーカーとの間の遮蔽物がトッププレート部のみとなり、必要音量を得やすくなる。
【００２７】
第８の発明は、特に、第１〜７のいずれか１つの発明において、前記調理器本体の各部を冷却するための送風部を備え、前記送風部の吸気側に前記スピーカーを配したものである。これにより、スピーカーが制御部や熱源を冷却後の熱風を受けることがなくなり、スピーカーの信頼性が向上する。
【００２８】
第９の発明は、第１〜８のいずれか１つの発明においてスピーカーを取付ける部品を樹脂で成形したものである。これにより、共振時の部品のびびり音が抑えられ音質が向上する。
【００２９】
以下、本発明の実施の形態について、図面を参照しながら説明する。なお、この実施の形態によって本発明が限定されるものではない。
【００３０】
（実施の形態１：第１、２の発明に関する形態１）
図１は本発明の実施形態１における加熱調理器の全体斜視図である。
【００３１】
図１において、加熱調理器は熱源を有する調理器本体２と、調理器本体２の上面に配された被加熱物を載置するためのトッププレート部１と、トッププレート部１の手前に配された操作部３と、トッププレート部１の左側下方に配された魚焼き器１１で構成されている。
【００３２】
図２は実施の形態１における加熱調理器のトッププレート部を取外した状態での平面図であり、図３は実施形態１における加熱調理器のトッププレート部および熱源を取外した状態での平面図である。
【００３３】
図２において、トッププレート部１の直下には左熱源５ａおよび右熱源５ｂと、後部熱源と、操作部３が配されている。図３において、左熱源５ａの下方には熱源支持部品６が配され、さらにその下方には左熱源５ａと魚焼き器１１を仕切るための仕切板８が配されている。右熱源５ｂの下方には加熱減支持機能を兼ねた制御カバー７が配され、制御カバー７にスピーカー４が取付けられている。
【００３４】
図４は実施形態１における加熱調理器の右熱源５ｂ付近の断面図であり、図５は実施形態１におけるスピーカー４の取付け部の断面図である。
【００３５】
図４において、制御カバー７の下方に制御部９が配され、制御部９の前方に各部を冷却するための送風部１０が配されている。
【００３６】
図５において、スピーカー４は制御カバー７にスピーカー固定部品４ａによって取付けられている。
【００３７】
以上の構成の作用として、操作部３と離れた位置に配された制御カバー７にスピーカー４が取付けられていることで、音声報知時の操作部３の振動が抑えられ、使用者に違和感を与えないとともに操作部３の信頼性が向上する。また、スピーカー４を調理器本体２の外郭から比較的遠い位置に配されているが、比較的平らな形状である制御カバー７の共振効果により必要音量を得やすくなる。
【００３８】
（実施の形態２：第１の発明に関する形態２）
図６は実施の形態２における加熱調理器のトッププレート部および熱源を取外した状態での平面図であり、図７は実施形態２における加熱調理器の左熱源５ａ付近の断面図である。
【００３９】
図６および図７において、熱源支持部品６にスピーカー４が取付けられている。
【００４０】
以上の構成の作用として、実施形態１と同様の効果が得られる。
【００４１】
（実施の形態３：第２の発明に関する形態）
図８は実施の形態３における加熱調理器のトッププレート部および熱源を取外した状態での平面図であり、図９は実施形態３における加熱調理器の左熱源５ａ付近の断面図である。
【００４２】
図８および図９において、左熱源５ａと魚焼き器１１の間に設けられた仕切板８にスピーカー４が取付けられている。
【００４３】
以上の構成の作用として、実施形態１と同様の効果が得られる。
【００４４】
（実施の形態４：第３の発明に関する形態）
図１０は実施の形態４における加熱調理器のスピーカー取付け部の断面図である。
【００４５】
図１０において、熱源支持部品６（ｏｒ  制御カバー７  ｏｒ  仕切板８）のスピーカー取付け面が凹形状となっている。
【００４６】
以上の構成の作用として、スピーカー４の後方からでた逆位相の音の熱源支持部品６に冷却や配線のために設けられた配線用穴６ａからのスピーカー４の前方への周り込みを防げることで音の打ち消しが無くなり、必要音量を得やすくなる。
【００４７】
（実施の形態５：第４の発明に関する形態）
図１１は実施の形態５における加熱調理器のスピーカー取付け部の断面図である。
【００４８】
図１１において、熱源支持部品６（ｏｒ  制御カバー７  ｏｒ  仕切板８）のスピーカー取付け部が凸形状となっておりその一部に穴６ｂを設けられている。
【００４９】
以上の構成の作用として、スピーカー４および熱源支持部品６の凸部の間の半密閉状態の空気の共振効果により必要音量を得やすくなるとともに穴を設けることで音のこもりが解消され音質が向上する。
【００５０】
（実施の形態６：第５の発明に関する形態）
図１２は実施の形態６における加熱調理器のスピーカー取付け部の斜視図および断面図である。
【００５１】
図１２において、熱源支持部品６（ｏｒ  制御カバー７  ｏｒ  仕切板８）のスピーカー取付け部が凸形状となっており、その上面に穴６ｂを設けられている。
【００５２】
以上の構成の作用として、実施の形態５の効果に加えて、凸形状の外周から浸水があった際に凸部の側面が堤防の役割を果たしスピーカーへの浸水を防ぐことができるため、スピーカーの防水性が向上する。
【００５３】
（実施の形態７：第６の発明に関する形態）
図１３は実施の形態７における加熱調理器のスピーカー取付け部の斜視図および断面図である。
【００５４】
図１３において、トッププレート部１を構成するガラスプレート１ａとフレーム部品１ｂとの境界線１ｃが熱源支持部品６（ｏｒ  制御カバー７  ｏｒ  仕切板８）の凸形状の上方に位置する構成となっており、境界線１ｃに沿って凸形状の上面にリブ６ｃが設けられ、リブ６ｃを挟んで境界線１ｃの逆側に穴６ｂを設けられている。
【００５５】
以上の構成の作用として、実施形態６の効果に加えて、トッププレート部の接着不良等に起因する上方からの浸水に対するスピーカーの防水性が向上する。
【００５６】
（実施の形態８：第７の発明に関する形態）
図１４は実施の形態８における加熱調理器のトッププレート部を取外した状態での平面図である。
【００５７】
図１４において、スピーカー４は操作部３や左熱源５ａ及び右熱源５ｂと平面上で重なることなく、トッププレート部の直下に配されている。
【００５８】
以上の構成の作用として、使用者とスピーカーとの間の遮蔽物がトッププレート部のみとなり必要音量を得やすくなる。
【００５９】
（実施の形態９：第８、９の発明に関する形態）
図１５は実施の形態９における加熱調理器の制御部付近の断面図である。
【００６０】
図１５において、スピーカー４は送風部１０の吸気側に配されている。
【００６１】
以上の構成の作用として、スピーカーが制御部や熱源の冷却後の熱風を受けることがなくなり、スピーカーの信頼性が向上する。
【００６２】
尚、実施の形態１〜８において、スピーカーを取付ける部品である、熱源支持部品６、制御カバー７、または仕切板８を樹脂で成形してもよい、これにより、スピーカーの発音による共振時の部品のびびり音が抑えられ音質が向上するものである。
【産業上の利用可能性】
【００６３】
以上のように、本発明にかかる加熱調理器は製品内部など音が外へ響き難い位置にスピーカーを配置しても必要音量の確保や音質の向上が可能となるので、音声報知機能を必要としスピーカーの取付け位置に制約がある電気機器等の用途にも適用できる。
【符号の説明】
【００６４】
１      トッププレート部
１ａ    ガラスプレート
１ｂ    フレーム部品
１ｃ    境界線
２      調理器本体
３      操作部
４      スピーカー
４ａ    スピーカー固定部品
５ａ    左熱源
５ｂ    右熱源
６      熱源支持部品
６ａ    配線用  ｏｒ  冷却用穴
６ｂ    穴
６ｃ    リブ
７      制御カバー
８      仕切板
９      制御部
１０    送風部
１０ａ  吸気口
１０ｂ  排気口
１１    魚焼き器
【図１】
2013137154.tif 000003
【図２】
2013137154.tif 000004
【図３】
2013137154.tif 000005
【図４】
2013137154.tif 000006
【図５】
2013137154.tif 000007
【図６】
2013137154.tif 000008
【図７】
2013137154.tif 000009
【図８】
2013137154.tif 000010
【図９】
2013137154.tif 000011
【図１０】
2013137154.tif 000012
【図１１】
2013137154.tif 000013
【図１２】
2013137154.tif 000014
【図１３】
2013137154.tif 000015
【図１４】
2013137154.tif 000016
【図１５】
2013137154.tif 000017
【図１６】
2013137154.tif 000018
【図１７】
2013137154.tif 000019